(57)【要約】【課題】  経済性、遮光性及び組立性に優れた感光記録材料用包装箱を提供すること【解決手段】  感光記録材料Ｍを収容する本体部３と、感光記録材料の取り出し口が形成される本体部の一端側に形成された蓋体部５とから構成される包装箱である。蓋体部は、本体部の一端側の取り出し口の周囲に一体形成された蓋被覆部３３と、蓋体部の閉鎖時には、蓋被覆部の外側に回動式に覆い被さるように取り出し口を閉鎖し、蓋体部の開放時には、蓋被覆部に対向する本体部の面に形成された屈曲部３５に沿って蓋被覆部から離れる側へ屈曲して回動する蓋可動部２５とを備え、屈曲部３５は非直線的である。【選択図】  図１
2005289491.tif 000002
【特許請求の範囲】
【請求項１】
感光記録材料を収容する本体部と、前記感光記録材料の取り出し口が形成される前記本体部の一端側に形成された蓋体部とから構成される包装箱であり、
前記蓋体部は、前記本体部の一端側の前記取り出し口の周囲に一体形成された蓋被覆部と、前記蓋体部の閉鎖時には、前記蓋被覆部の外側に回動式に覆い被さるように前記取り出し口を閉鎖し、前記蓋体部の開放時には、前記蓋被覆部に対向する前記本体部の面に形成された屈曲部に沿って前記蓋被覆部から離れる側へ屈曲して回動する蓋可動部とを備え、前記屈曲部は非直線的であることを特徴とする感光記録材料用包装箱。
【請求項２】
請求項１において、前記屈曲部は、下に凸に湾曲して形成されていることを特徴とする感光記録材料用包装箱。
【請求項３】
請求項１において、前記屈曲部は、上に凸に湾曲して形成されていることを特徴とする感光記録材料用包装箱。
【請求項４】
請求項２または３において、前記屈曲部は、円弧の一部であることを特徴とする感光記録材料用包装箱。
【請求項５】
請求項１において、前記屈曲部は、多角形の複数の辺であることを特徴とする感光記録材料用包装箱。
【請求項６】
請求項４において、前記円弧の半径が８６０ｍｍ〜１７２０ｍｍであることを特徴とする感光記録材料用包装箱。
【請求項７】
請求項１〜６のいずれかにおいて、前記感光記録材料用包装箱が段ボールで構成されており、前記屈曲部が、前記段ボールのコルゲートの延びる方向に略直交していることを特徴とする感光記録材料用包装箱。
【請求項８】
請求項１〜７のいずれかにおいて、前記蓋可動部は、２枚の蓋側板と、該２枚の蓋側板に接続された蓋天板とを備え、前記蓋被覆部は、２枚の被覆側板と、該２枚の被覆側板から切り離された被覆天板とを備え、前記被覆天板は谷折れ罫線の周囲で自由に折れ曲がり可能であるが、常時外側に変形しようとする傾向を有し、前記蓋可動部を閉鎖した状態では、前記被覆天板の端部が前記蓋天板の内側に摩擦係合することを特徴とする感光記録材料用包装箱。
【請求項９】
請求項８において、前記被覆天板の自由端辺側に係止フラップが山折れ罫線を介して接続されており、前記係止フラップは山折れ罫線の周囲で自由に折れ曲がり可能であるが、常時外側に変形しようとする傾向を有し、前記蓋可動部を閉鎖した状態では、前記係止フラップの面が蓋天板の内側の面に摩擦係合することを特徴とする感光記録材料用包装箱。
【請求項１０】
請求項１〜９のいずれかにおいて、前記感光記録材料が入口部を有する遮光性の内装袋に収納され、且つ前記内装袋の入口部を折り曲げた状態で前記本体部に収納されており、前記蓋体部が、前記蓋可動部を閉鎖しているときに前記内装袋の入口部の折り曲げ状態を維持する折り曲げ維持手段を備えることを特徴とする感光記録材料用包装箱。
【請求項１１】
請求項１０において、前記折り曲げ維持手段は、蓋可動部の一部に設けられ、前記蓋体部の閉鎖時に前記内装袋の入口部が折り込まれた部分を弾性的に押さえて、該折り込み部分が自然に開放することを防止する内装袋押さえ板を備えることを特徴とする感光記録材料用包装箱。
【請求項１２】
請求項１０において、前記蓋体部は、前記蓋可動部と対向する側に位置し蓋体部の閉鎖時に蓋可動部と協同して前記取り出し口の閉鎖状態を維持する蓋閉鎖補助部を備え、前記折り曲げ維持手段は、前記蓋閉鎖補助部の一部に設けられ、前記蓋体部の閉鎖時に前記内装袋の入口部が折り込まれた部分を弾性的に押さえて、該折り込み部分が自然に開放することを防止する内装袋押さえ板を備えることを特徴とする感光記録材料用包装箱。
【請求項１３】
請求項１１または１２において、前記内装袋押さえ板は複数箇所に分割されており、これら分割された内装袋押さえ板の少なくとも一つを順次折り曲げて、前記折り込まれた部分を弾性的に押さえることを特徴とする感光記録材料用包装箱。
【請求項１４】
請求項１１〜１３のいずれか一項において、前記内装袋押さえ板は、前記蓋体部の閉鎖時に前記蓋可動部の端辺が衝合する部分からの光の進入を防止するための差込フラップとしても機能することを特徴とする感光記録材料用包装箱。
【請求項１５】
請求項１１〜１４のいずれか一項において、前記内装袋押さえ板は、前記感光記録材料用包装箱を構成する材料を折り曲げたときに生じる元の形状へ復帰する力を利用して、前記折り込まれた部分を弾性的に押さえることを特徴とする感光記録材料用包装箱。
【請求項１６】
請求項１３において、前記分割された内装袋押さえ板を各々折り曲げるための罫線で折り曲げたときの前記元の形状へ復帰する力が、前記各罫線によって異なることを特徴とする感光記録材料用包装箱。
【請求項１７】
請求項１１〜１６のいずれか一項において、前記蓋可動部の閉鎖状態を維持する係合手段が設けられていることを特徴とする感光記録材料用包装箱。
【発明の詳細な説明】
【技術分野】
【０００１】
本発明は、Ｘレイフィルム等の感光記録材料の包装に適した包装箱に関する。
【背景技術】
【０００２】
Ｘレイフィルム等の感光記録材料を包装する包装箱として、従来は例えば図２１（ａ）〜（ｃ）に示すようなものが使用されていた。
図２１（ａ）に示すものは、包装箱本体３０１と蓋体３０３とが別体であり、包装箱本体３０１の上部に蓋体挿嵌部３０５が形成されていて、そこに蓋体３０３が挿嵌されるようになっている（特開平６−１８６６７９号公報：特許文献１）。
また図２１（ｂ）に示すものは、包装箱本体３０７と蓋体３０９とが当初は一体となっており、リッパー部３１１を横方向に引き取ることにより蓋体３０９が包装箱本体３０７に対して回動可能となり蓋体３０９を開放できるようになっている（特開平８−１１４８８９号公報：特許文献２）。
更に図２１（ｃ）に示すものは、包装箱本体３１３の上面側の一部の領域が折れ線３１５を介して上方へ折れ曲がることにより、蓋体３１７が上方へ開放できるようになっている（特開２００３−１５６８２０号公報：特許文献３）。
【０００３】
しかし図２１（ａ）に示すものは、包装箱本体３０１が二重となっているため、展開図の面積が約２倍となり、経済性に劣る。またこのような包装箱を組み立てるには、専用機を新規に導入する必要があるため設備投資にも費用が掛かる。また図２１（ｂ）に示すものは、一旦リッパー部３１１を引き取った後は、この部分での遮光性が十分に確保できないという問題がある。更に図２１（ｃ）に示すものは、蓋体３１７を一旦開けると折れ線３１５に開く方向の癖がつくため、ロック機構がないと蓋体３１７を閉じても自然に蓋体３１７が開いてしまい、十分な遮光性を確保できないという問題がある。また、ロック機構があっても、開け方がわかりにくいうえ両手での作業が必要とされ、なおかつ繰り返して使用すると紙が疲労するという問題がある。
【０００４】
【特許文献１】特開平６−１８６６７９号公報
【特許文献２】特開平８−１１４８８９号公報
【特許文献３】特開２００３−１５６８２０号公報
【発明の開示】
【発明が解決しようとする課題】
【０００５】
従来の包装箱が有している上記の問題点を考慮して、本発明は、経済性、遮光性及び組立性に優れた感光記録材料用包装箱を提供することを課題とした。
【課題を解決するための手段】
【０００６】
本発明者は鋭意検討を重ねた結果、以下の構成を有する本発明の感光記録材料用包装箱によれば上記の課題を解決しうることを見い出した。
本発明の感光記録材料用包装箱は、感光記録材料を収容する本体部と、前記感光記録材料の取り出し口が形成される前記本体部の一端側に形成された蓋体部とから構成される包装箱であり、前記蓋体部は、前記本体部の一端側の前記取り出し口の周囲に一体形成された蓋被覆部と、前記蓋体部の閉鎖時には、前記蓋被覆部の外側に回動式に覆い被さるように前記取り出し口を閉鎖し、前記蓋体部の開放時には、前記蓋被覆部に対向する前記本体部の面に形成された屈曲部に沿って前記蓋被覆部から離れる側へ屈曲して回動する蓋可動部とを備え、前記屈曲部は非直線的であることを特徴とするものである（第１の態様）。本発明の典型的な感光記録材料用包装箱では、蓋体部が閉鎖している状態において本体部内の遮光性が維持される。
【０００７】
上記発明において、前記屈曲部は、下に凸に湾曲して形成されていてもよい（第２の態様）。
また上記発明において、前記屈曲部は、上に凸に湾曲して形成されていてもよい（第３の態様）。
また上記発明において、前記屈曲部は、円弧の一部であってもよい（第４の態様）。
また上記発明において、前記屈曲部は、多角形の複数の辺であってもよい（第５の態様）。
また上記発明において、前記円弧の半径が８６０ｍｍ〜１７２０ｍｍであってもよい（第６の態様）。
また上記発明において、前記感光記録材料用包装箱が段ボールで構成されており、前記屈曲部が、前記段ボールのコルゲートの延びる方向に略直交していてもよい（第７の態様）。
【０００８】
また上記発明において、前記蓋可動部は、２枚の蓋側板と、該２枚の蓋側板に接続された蓋天板とを備え、前記蓋被覆部は、２枚の被覆側板と、該２枚の被覆側板から切り離された被覆天板とを備え、前記被覆天板は谷折れ罫線の周囲で自由に折れ曲がり可能であるが、常時外側に変形しようとする傾向を有し、前記蓋可動部を閉鎖した状態では、前記被覆天板の端部が前記蓋天板の内側に摩擦係合するようにしてもよい（第８の態様）。
また上記発明において、前記被覆天板の自由端辺側に係止フラップが山折れ罫線を介して接続されており、前記係止フラップは山折れ罫線の周囲で自由に折れ曲がり可能であるが、常時外側に変形しようとする傾向を有し、前記蓋可動部を閉鎖した状態では、前記係止フラップの面が蓋天板の内側の面に摩擦係合するようにしてもよい（第９の態様）。
【０００９】
また上記発明において、前記感光記録材料が入口部を有する遮光性の内装袋に収納され、且つ前記内装袋の入口部を折り曲げた状態で前記本体部に収納されており、前記蓋体部が、前記蓋可動部を閉鎖しているときに前記内装袋の入口部の折り曲げ状態を維持する折り曲げ維持手段を備えていてもよい（第１０の態様）。
また上記発明において、前記折り曲げ維持手段は、蓋可動部の一部に設けられ、前記蓋体部の閉鎖時に前記内装袋の入口部が折り込まれた部分を弾性的に押さえて、該折り込み部分が自然に開放することを防止する内装袋押さえ板を備えていてもよい（第１１の態様）。
【００１０】
また上記発明において、前記蓋体部は、前記蓋可動部と対向する側に位置し蓋体部の閉鎖時に蓋可動部と協同して前記取り出し口の閉鎖状態を維持する蓋閉鎖補助部を備え、前記折り曲げ維持手段は、前記蓋閉鎖補助部の一部に設けられ、前記蓋体部の閉鎖時に前記内装袋の入口部が折り込まれた部分を弾性的に押さえて、該折り込み部分が自然に開放することを防止する内装袋押さえ板を備えていてもよい（第１２の態様）。
また上記発明において、前記内装袋押さえ板は複数箇所に分割されており、これら分割された内装袋押さえ板の少なくとも一つを順次折り曲げて、前記折り込まれた部分を弾性的に押さえるようにしてもよい（第１３の態様）。
【００１１】
また上記発明において、前記内装袋押さえ板は、前記蓋体部の閉鎖時に前記蓋可動部の端辺が衝合する部分からの光の進入を防止するための差込フラップとしても機能してもよい（第１４の態様）。
また上記発明において、前記内装袋押さえ板は、前記感光記録材料用包装箱を構成する材料を折り曲げたときに生じる元の形状へ復帰する力を利用して、前記折り込まれた部分を弾性的に押さえるようにしてもよい（第１５の態様）。
【００１２】
また上記発明において、前記分割された内装袋押さえ板を各々折り曲げるための罫線で折り曲げたときの前記元の形状へ復帰する力が、前記各罫線によって異なっていてもよい（第１６の態様）。
また上記発明において、前記蓋可動部の閉鎖状態を維持する係合手段が設けられていてもよい（第１７の態様）。
【発明の効果】
【００１３】
第１、第２及び第３の態様によれば、屈曲部が非直線的であるため、屈曲部に沿って蓋可動部を開放する方向へ回動させたときに、屈曲部の周辺が若干変形するとともに、この変形が元の状態に復帰しようとする時の反作用により、蓋可動部が常時閉鎖する方向への付勢を受ける。例えば第２の態様であれば、蓋可動部を開放する方向へ回動させたときに、屈曲部の周辺が若干内方へ沈み込むように変形して、蓋可動部が常時閉鎖する方向への付勢を受ける。そのため、蓋可動部を誤って閉鎖することを忘れても、自動的に蓋体部は閉鎖状態に戻るし、また閉鎖状態から自然に蓋可動部が開放することもない。従って遮光性に優れた感光記録材料用包装箱を提供できる。
第４の態様によれば、屈曲部に沿って蓋可動部を開放する方向へ回動させたときに、屈曲部の周囲がほぼ平均的に変形するため、局所的に無理な力が係り破損することがない。また屈曲部を容易に形成することが可能である。
【００１４】
第５の態様によれば、屈曲部に沿って蓋可動部を開放する方向へ回動させたときに、屈曲部の周囲がほぼ平均的に内方へ沈み込むように変形するため、局所的に無理な力が係り破損することがない。
第６の態様によれば、蓋可動部が自動的に閉鎖する傾向と、蓋可動部の開け易さとを両立することができる。
第７の態様によれば、コルゲートの延びる方向と略直交する方向に屈曲部が形成されていれば、蓋可動部が自動的に閉鎖する傾向が強くなり、またこのような傾向を持続することができる。
第８の態様によれば、蓋可動部を閉鎖した状態では、被覆天板の端部が蓋天板の内側に摩擦係合するため、蓋可動部が自然に開くことが防止される。
【００１５】
第９の態様によれば、蓋可動部を閉鎖した状態では、係止フラップの面が蓋天板の内側の面に広い範囲で摩擦係合して、蓋可動部が自然に開くことをより確実に防止することができる。
第１０の態様によれば、内装袋が包装箱内に収容されているときに、蓋体部に設けられた折り曲げ維持手段が内装袋の入口部の折り曲げ状態を維持するように作用するので、包装箱を開けたときに入った光により感光記録材料が誤って感光してしまうことを防止することができる。また内装袋の入口部の自然開放を防止するための粘着テープ等を使用する手間を要しない。
第１１の態様によれば、蓋体部の閉鎖時に内装袋押さえ板が内装袋の入口部に折り込み部分を弾性的に押さえるため、包装箱内で内装袋が移動したり、包装箱をひっくり返したりした場合でも、折り込み部分が開放方向へ緩むことが防止される。
【００１６】
第１２の態様によれば、、蓋可動部側ではなく、蓋可動部と対向する側に位置し、蓋体部の閉鎖時に蓋可動部と協同して取り出し口の閉鎖状態を維持する蓋閉鎖補助部側に内装袋押さえ板を設けており、第１０の態様と同様の効果が得られる。
第１３の態様によれば、内装袋押さえ板の折り曲げた部分は、包装箱を複数回開閉することで次第に内装袋の折り込み部分を弾性的に押さえる力が弱まってくるので、順次、複数の内装袋押さえ板の折り曲げる位置を適宜変えることで、長期間に亘り、内装袋の折り込み部分を弾性的に押さえ続けることができる。また、内装袋から感光記録材料を取り出して使用して行くと内装袋が徐々に薄くなるが、その際に押さえ板の折り曲げ部分が長くなるように折り曲げる位置を変えて行けばより強いスプリング効果を出すことができるため内装袋の折り込み部分を確実に押さえ続けることができる。
【００１７】
第１４の態様によれば、従来差込フラップとして機能している部材を内装袋押さえ板として利用できるため、余分な材料を追加して内装袋押さえ板を形成する必要がない。
第１５の態様によれば、包装箱を構成する材料自体の特性を利用して折り込まれた部分を弾性的に押さえることができるから、他の付加的材料を必要としない。
第１６の態様によれば、内装袋押さえ板の折り曲げた部分は、包装箱を複数回開閉することで次第に内装袋の折り込み部分を弾性的に押さえる力が弱まってくるので、順次、複数の内装袋押さえ板の折り曲げる位置を適宜変えることで、長期間に亘り、内装袋の折り込み部分を弾性的に押さえ続けることができる。また、内装袋から感光記録材料を取り出して使用して行くと内装袋が徐々に薄くなるが、その際に押さえ板の折り曲げ部分が長くなるように折り曲げる位置を変えて行けばより強いスプリング効果を出すことができるため内装袋の折り込み部分を確実に押さえ続けることができる。
第１７の態様によれば、粘着テープ等を使用しなくても、蓋可動部の閉鎖状態を容易に維持することができ、また係合手段の係合を解除することで蓋可動部を容易に開けることができる。
【発明を実施するための最良の形態】
【００１８】
以下において、本発明の感光記録材料用包装箱について、図面を参照しながら詳細に説明する。なお、本明細書において「〜」を用いて表される数値範囲は、「〜」の前後に記載される数値を下限値及び上限値として含む範囲を意味する。
【００１９】
図１は、本発明に係る感光記録材料用包装箱１（以下、包装箱１という）の完成状態における全体を示す斜視図である。包装箱１はほぼ直方体の形態を有し、本体部３と、本体部３の上部前面側に形成された蓋体部５とから構成されている。尚、本明細書において、「上下左右」及び「前後」の語を使用する場合には、図１に矢印で示す方向を意味するものとし、これは全ての実施形態に関しても同様である。
【００２０】
本体部３は前板７、左側板９、右側板１１、背板１３及び底板１５を備えており、蓋体部５は蓋前板１７、蓋左側板１９、蓋右側板２１及び蓋天板２３から成る蓋可動部２５と、被覆左側板２７、被覆右側板２９及び被覆天板３１から成る蓋被覆部３３とを備えて成る。図１に示すように蓋体部５が閉鎖している状態では、蓋可動部２５の蓋左側板１９、蓋右側板２１及び蓋天板２３が、それぞれ蓋被覆部３３の被覆左側板２７、被覆右側板２９及び被覆天板３１の外側に覆い被さるように位置するので、蓋体部５での遮光性が維持される。
【００２１】
本体部３の前板７と蓋体部５の蓋前板１７との境界には下に凸となるように円弧状の筋押し３５が形成されており、この筋押し３５を回動軸として蓋可動部２５が前側に回動することにより、蓋体部５が開放可能となっている。尚、筋押し３５は上に凸の円弧状に形成しても良いし、円弧でなく楕円の一部の形状として形成したり、あるいはその他の非直線的形状であってもよい。このように蓋体部５の回動軸となる筋押し３５を非直線的形状、特に円弧状に形成することは本発明の特徴的構成であり、筋押し３５は屈曲部を構成する。このような構成を採用することにより、図２に示すように蓋可動部２５を円弧状の筋押し３５の周囲で前側に回動させると、筋押し３５の周辺が若干内方へ沈み込むように変形するとともに、この変形が元の状態に復帰しようとする時の反作用により、蓋可動部２５が図２の矢印の方向に常時閉鎖する方向への付勢を受ける。そのため、誤って蓋可動部２５を閉鎖することを忘れても、自動的に図１に示すような蓋体部５の閉鎖状態に戻るし、また図１の閉鎖状態から自然に蓋可動部２５が開放することもない。
【００２２】
筋押し３５の円弧の半径が大きいほど、蓋可動部２５が上記のように自動的に閉鎖する傾向は弱くなり、一方、筋押し３５の円弧の半径が小さいほど、自動的に閉鎖する傾向は強くなる。しかし、筋押し３５の円弧の半径が小さいほど蓋可動部２５を開けにくくなる。従って筋押し３５の円弧の半径は、自動的に閉鎖する傾向と、蓋可動部２５の開け易さとを考慮しながら、包装箱１を構成する材料の種類にも配慮したうえで適宜決定する必要がある。例えば図４に示すような段ボール製の包装箱においては、筋押し３５の円弧の最下位置と最上位置との距離は１５ｍｍ以上であることが好ましく、２０ｍｍ以上であることが特に好ましい。曲率半径は１７５０ｍｍ以下であることが好ましく、１０００ｍｍ以下であることが特に好ましい。接線角度は４０°以下であることが好ましく、３５°以下であることが特に好ましい。筋押し３５の形成手段は特に制限されず、例えば木型などを用いることができる。
【００２３】
筋押し３５の形態は円弧である他、これと同様な作用を有するように筋押し３５を多角形の一部の辺から構成するようにしてもよい。図５に示すように、一例として８本の直線の筋押しを、ほぼ下に凸の円弧に沿って連続的に配置する構成とすることができるが、このような直線の本数は８本に限定されるものではなく、円弧状の筋押し３５と実質的に同様な作用効果を得られるものであれば直線の本数は限定されない。
【００２４】
本発明の包装箱を構成する材料の種類は特に限定されないが、段ボールを用いることが好ましい。好ましい材料として、Ｅフルート（例えば段数が約９４／３００ｍｍ）やＦフルート（例えば段数が約１２０／３００ｍｍ）のようなマイクロフルート段ボールや、板紙を挙げることができる。材料として段ボールを使用した場合、筋押し３５が段ボールのコルゲートの延びる方向に略直交するように形成されていることが好ましい。
【００２５】
図２に戻り、蓋体部５が閉鎖した状態を維持する構造について説明する。図２に示すように、蓋可動部２５の蓋天板２３の両端は蓋左側板１９及び蓋右側板２１に接続されているため、蓋天板２３自体は剛性を有し大きく変形することができない。一方、蓋被覆部３３の被覆天板３１は被覆左側板２７及び被覆右側板２９とは切り離されているため、被覆天板３１は谷折れ罫線３７の周囲で自由に折れ曲がり可能であるとともに、包装箱１を構成する段ボールなどの材料の性質上、被覆天板３１は、背板１３に対して９０度折り曲がった位置よりも常時外側に変形しようとする傾向を有する。従って、蓋可動部２５を閉鎖した状態では、被覆天板３１の端部が蓋天板２３の内側に摩擦係合するため、蓋可動部２５が自然に開くことが防止される。
【００２６】
次に上記のような形態の屈曲部としての筋押し３５を備える他の実施形態の包装箱１について説明する。図６に示す包装箱１は、図１及び図２に示す包装箱１における蓋被覆部３３の被覆天板３１の自由端辺側に係止フラップ４１を接続したものである。被覆天板３１と係止フラップ４１との境界には山折れ罫線３９が形成されており、この山折れ罫線３９に沿って係止フラップ４１が後方側へ折り込まれているが、包装箱１を構成する段ボールなどの材料の性質上、係止フラップ４１は山折れ罫線３９で折られてもある程度まで元の形状に復帰しようとする。即ち、係止フラップ４１が被覆天板３１と平坦になろうと方向へ戻ろうとする。そのため、蓋可動部２５を閉鎖した状態では、係止フラップ４１の面が蓋天板２３の内側の面に広い範囲で摩擦係合して、蓋可動部２５が自然に開くことをより確実に防止することができる。
【００２７】
次に本発明の特徴的構成である屈曲部、すなわち筋押し３５を備えた感光記録材料用包装箱に内装袋押さえ板を適用した実施形態について図７〜図１４を参照しながら説明する。
図７〜図９に示す実施形態では本体部３と蓋体部５がそれぞれ以下のような構成を備える。即ち本体部３は、前板１０７、左側板１０９、右側板１１１、背板１１３及び底板１１５を備えており、蓋体部５は蓋前板１１７、蓋左側板１１９、蓋右側板１２１及び内装袋押さえ板１２３から成る蓋可動部１２５と、外覆左側板１２７、外覆右側板１２９、外覆天板１３１及び各々外覆左側板１２７と外覆右側板１２９の上端から形成される小フラップ１３０から成る蓋閉鎖補助部１３３とを備えて成る。図示しないが蓋体部５が閉鎖している状態では、蓋閉鎖補助部１３３の外覆左側板１２７、外覆右側板１２９及び外覆天板１３１が、それぞれ蓋可動部１２５の蓋左側板１１９、蓋右側板１２１及び内装袋押さえ板１２３の外側に覆い被さり、２つの小フラップ１３０が外覆天板１３１の内側に折り込まれるようになるので、蓋体部５での遮光性が維持される。
【００２８】
また外覆天板１３１の中央には係止片１３５が形成されており、蓋前板１１７と内装袋押さえ板１２３との境界に形成された山折れ罫線１３７上にはスリット１３９が形成されている。蓋体部５が閉鎖しているときに、係止片１３５がスリット１３９に差し込まれることで、蓋体部５が自然に開放することが規制されている。係止片１３５には指掛け突起１４１が形成されており、この指掛け突起１４１は係止片１３５をスリット１３９から外すときに指を掛ける部分である。
【００２９】
図９に示すように包装箱１内には、感光記録材料Ｍが遮光性の内装袋１４３内に収容されている。尚、内装袋１４３は遮光機能を持つ黒ポリ層と、防湿機能を持つ機能性フィルム及び接着層とから構成されている。従って、内装袋１４３は防湿のためのアルミ箔を含んでおらず、これにより耐ピンホール性に優れ、折りグセが付き難い構造になっている。
【００３０】
内装袋１４３は、感光記録材料Ｍを出し入れするための入口部１４５を有し、内装袋１４３が包装箱１内にあるときは、入口部１４５が折り込まれている（符号１４７で示す）。これにより、万が一、包装箱１に形成された隙間等から光が包装箱１内に入った場合でも、入口部１４５から内装袋１４３内に光が進入することを防止している。
【００３１】
一方上述したように、内装袋押さえ板１２３は、山折れ罫線１３７に沿って内側へ折り込まれているが、包装箱１を構成する段ボールなどの材料の性質上、内装袋押さえ板１２３はある程度まで元の形状に復帰しようと傾向（蓋前板１１７と平坦になる方向に戻ろうとする傾向）がある。そのため、蓋可動部１２５を閉鎖した状態では、内装袋押さえ板１２３が、蓋前板１１７と平坦になろうとする方向（矢印１２４の方向）に復帰しようとすることで、図９に示すように内装袋押さえ板１２３の端部が内装袋１４３の折り込み部分１４７を弾性的に押さえ込み、包装箱１内で折り込み部分１４７が自然に開放することを防止することができる。尚、内装袋押さえ板１２３は、蓋体部の閉鎖時に蓋可動部の端辺が衝合する部分からの光の進入を防止するための差込フラップとしても機能する。
【００３２】
また本実施形態の包装箱１の左側板１０９及び右側板１１１には、易分解構造１４９が適用されている。この易分解構造１４９は、次に説明する図１０〜図１２に示す実施形態でも同様に採用されているため、図１０〜図１２に示す実施形態において具体的に説明する。
【００３３】
次に図１０〜図１２を参照しながら、内装袋１４３の折り込み部分１４７を押さえる他の構造を備える他の実施形態について説明する。尚、図１０〜図１２中、図７〜図９で使用されている符号と同じ符号を付している部分は図７〜図９に示す実施形態と同じ構造であるので説明を省略する。
【００３４】
図１０〜図１２に示す実施形態では、図７〜図９に示すような形態の内装袋押さえ板１２３は蓋前板１１７に設けられていない。これに代わり、図１１に示すように外覆天板１３１に山折り罫線１５１を介して前覆板１５３が形成されており、更に、前覆板１５３に対して３つの互いに分離した内装袋押さえ板１５５、１５７、１５９が、それぞれ山折れ罫線１６１、１６３、１６５を介して接続されている。図示しないが、蓋体部５が閉鎖しているときには、前覆板１５３の上に蓋前板１１７が重なった状態で、蓋前板１１７と外覆天板１３１との間に粘着テープ（図示せず）を貼付して、蓋体部５が自然に開放しないようになっている。尚本実施形態では、外覆左側板１２７、外覆右側板１２９、小フラップ１３０、外覆天板１３１、前覆板１５３、内装袋押さえ板１５５、内装袋押さえ板１５７及び内装袋押さえ板１５９が蓋閉鎖補助部１３３を構成している。
【００３５】
蓋体部５が閉鎖しているときには、３つの内装袋押さえ板１５５、１５７、１５９のうち、例えば中央の内装袋押さえ板１５５だけが山折れ罫線１６１に沿って内側に大きく折り込まれている。図１２に示すように、この大きく折り込まれた内装袋押さえ板１５５の端部１５５ａは、包装箱１内に収容された内装袋１４３の折り込み部分１４７を押さえ込み、包装箱１内で折り込み部分１４７が自然に開放することを防止することができる。
【００３６】
しかし長期間に亘り中央の内装袋押さえ板１５５を山折れ罫線１６１で大きく内側に折り曲げておくと、山折れ罫線１６１によって中央の内装袋押さえ板１５５を折り曲げた状態を維持する力が弱まってくるため、このような場合には左右の内装袋押さえ板１５７、１５９を順次、山折れ罫線１６３、１６５に沿って大きく折り曲げて使用する。即ち、３つの内装袋押さえ板１５５、１５７、１５９のうち、少なくとも１つが内装袋１４３の折り込み部分１４７を押さえるようにして、折り込み部分１４７が自然に開放してしまうことによる入口部１４５からの光の進入を防止している。尚、３つの内装袋押さえ板１５５、１５７、１５９は、蓋体部の閉鎖時に蓋可動部の端辺が衝合する部分からの光の進入を防止するための差込フラップとしても機能する。
【００３７】
図１０〜図１２に示す実施形態では、各山折れ罫線１６１、１６３、１６５で内装袋押さえ板１５５、１５７、１５９を折り曲げたときに元の形状へ復帰しようとする力が同じであると仮定しているが、各山折れ罫線１６１、１６３、１６５の筋押しの深さを変えたり、一部をミシン目に変えたりすることにより、内装袋押さえ板１５５、１５７、１５９を折り曲げたときに元の形状へ復帰しようとする力が異なるようにしてもよい。また、内装袋押さえ板１５５、１５７、１５９の長さを変えて、スプリング効果が異なるようにしてもよい。
尚図１１中、符号１６７、１６９で示す部分は、それぞれ指掛け突起及び指摘み部であり、これらは蓋体部５を開ける際の使用者の便宜のために設けられている。
【００３８】
次に図７〜図９に示す実施形態及び図１０〜図１２に示す実施形態において適用されている易分解構造１４９について説明する。尚、易分解構造１４９は図７〜図９に示す実施形態では同じ構造が採用されているため、図１０〜図１２の実施形態に沿って説明する。
【００３９】
図１０に示すように包装箱１の左側板１０９及び右側板１１１の中央乃至下方部分にはミシン目１７１が形成されており、蓋体部５を開放する方向へ大きな力で引っ張ることにより、図１１に示すようにミシン目１７１に沿って比較的容易に破くことができるようになっている。図１１に示すように易分解構造１４９が適用される部分は、外側に位置する左側板１０９及び右側板１１１と、これらのそれぞれ内側に位置する左内側板１７３及び右内側板（図示せず）とが重なって構成されている。左内側板１７３及び右内側板（図示せず）には、ミシン目１７１よりも後方側には糊付けがなされておらず、ミシン目１７１よりも前側には糊付けがされている。そのため左内側板１７３及び右内側板（図示せず）のミシン目１７１よりも前側部分は、それぞれ左側板１０９及び右側板１１１のミシン目１７１より前側部分に接着しており、その結果、蓋体部５を開放する方向へ大きな力で引っ張ることにより、大きな抵抗なくミシン目１７１に沿って破くことができ、本体部３を平坦な状態に容易に分解することができる。
【００４０】
次に図１３を参照しながら、図１０〜図１２の実施形態を一部変形した実施形態について説明する。尚、図１３中、図１０〜図１２で使用されている符号と同じ符号を付している部分は図１０〜図１２の実施形態と同じ構造であるので説明を省略する。
【００４１】
図１３に示す実施形態では、図１０〜図１２の実施形態の構成を基本構成とし、更に前覆板１５３のほぼ中央に差込スリット１７７が追加的に形成されている。また蓋前板１１７の上端側の中央には、谷折れ罫線１８１で谷折れ可能な係合片１７９が形成されており、係合片１７９の上端には山折れ罫線１８３で山折れ可能な差込片１８５が形成されている。
【００４２】
図１３に示す実施形態では、蓋体部５が閉鎖しているとき、前覆板１５３の上に蓋前板１１７が重なった状態で、差込片１８５が差込スリット１７７に差し込まれることにより、蓋体部５の閉鎖状態を維持できるようになっている。尚、差込片１８５及び差込スリット１７７は係合手段に相当する。このような構成を採用することにより、図１０〜図１２の実施形態のように、蓋前板１１７と外覆天板１３１との間に粘着テープを貼付する必要がなく、また蓋体部５を開放する場合にも粘着テープを剥がす必要もない。
【００４３】
また図１０〜図１２に示す実施形態及び図１３に示す実施形態において、内装袋押さえ板１５５、１５７、１５９を３つに分割せずに図１４に示すように単一の内装袋押さえ板１５５としても良い。
【００４４】
次に本発明の特徴的構成である屈曲部、すなわち筋押し３５を備えた感光記録材料用包装箱に、遮光性内装袋の開封側端部を一体に折り畳むことができる挟持遮光フラップを適用した実施形態について図１５〜図２０を参照しながら説明する。
尚、以下の説明において、谷折れ罫線あるいは山折れ罫線によって仕切られた部位について使用する「幅寸法」とは、当該罫線に沿う方向の寸法、「長さ寸法」とは、当該罫線と直交する方向の寸法を意味するものとする。
【００４５】
本実施形態の包装箱２０１は、遮光性内装袋（以下、内装袋という）２１７（図１７参照）によって密封された感光記録材料Ｍを収容する本体部２０３と、感光記録材料Ｍの取り出し口に設けられる蓋体部２０５とが一体に形成された再封機能を備える包装箱である。
尚、内装袋２１７は上記同様、遮光機能を持つ黒ポリ層と、防湿機能を持つ機能性フィルム及び接着層とから構成されている。
【００４６】
本体部２０３は、前板２０７、左側板２０９、右側板２１１、背板２１３及び底板２１５を備えており、蓋体部２０５は外覆天板２２１及び前覆板２２３を備えている。前板２０７の中程より幾分上方の位置には屈曲部として、下に凸となるように円弧状に形成された筋押し２２５が設けられている。また前板２０７の上部には筋押し２２５に沿って開閉し得る蓋可動部２２７が設けられている。
【００４７】
蓋可動部２２７は、前面に位置するパネル状の前面フラップ２２９と、前面フラップ２２９の左右の側辺を後方に折り曲げることによって形成されているサイドフラップ２３１、２３３とを備えることによって形成されている。前面フラップ２２９の上方中央には半楕円弧状に切り欠かれた指掛け部２３５が３個所設けられている。またサイドフラップ２３１、２３３の上辺及び下辺には蓋可動部２２７の開閉操作を円滑にするための面取り乃至曲面加工が施されている。
【００４８】
本体部２０３における左側板２０９と右側板２１１は、前板２０７の左右の側辺を後方に折り曲げることによって形成されている左内側板２３７、右内側板（図示せず）と、背板２１３の左右の側辺を前方に折り曲げることによって形成されている左外側板２４１、右外側板２４３とによって構成されている。また左外側板２４１、右外側板２４３の中央には筋押し２２５の左右の端部付近から下端にかけてミシン目２４５が形成されており、これらにより上記同様の易分解構造が構成される。
【００４９】
蓋体部２０５における外覆天板２２１は、本体部２０３における背板２１３の上部端辺に接続されており、前覆板２２３は、上記蓋天板２２１の自由端側の端辺に接続されている。また外覆天板２２１と前覆板２２３の境界に位置する山折れ罫線２４９の中央部には、差込スリット２５１が形成されている。また外覆天板２２１には、指掛け突起２５３が形成されている。そしてこのような蓋体部２０５には、挟持遮光フラップ２４７が設けられている。
【００５０】
挟持遮光フラップ２４７は開封した内装袋２１７の開封側端部２１９を挟持した状態で一体に折り畳まれることによって再封時の遮光性を確保するという役割を担う部材であり、上記前覆板２２３の自由端側の端辺に接続される。また前覆板２２３と挟持遮光フラップ２４７の境界に位置する山折れ罫線２５５の中央部には、円弧状のスリットを刻設することによって係止舌片２５７が形成されている。この係止舌片２５７には弱粘着性で再剥離可能な粘着材２５９が塗工乃至貼設されている。粘着材２５９としては、再剥離性を有する糊、接着剤、両面テープ等が使用できる。
【００５１】
挟持遮光フラップ２４７は、前覆板２２３に対して接続される基端側挟持遮光フラップ２６１と、谷折れ罫線２６５を挟んで基端側挟持遮光フラップ２６１に接続される自由端側挟持遮光フラップ２６３とを備えることによって構成されている。また基端側挟持遮光フラップ２６１は前覆板２２３と同程度の長さ寸法を有するように形成されており、自由端側挟持遮光フラップ２６３は外覆天板２２１と同程度の長さ寸法を有するように形成されている。尚、基端側挟持遮光フラップ２６１と自由端側挟持遮光フラップ２６３の長さ寸法をこのように設定することによって図１８に示すように挟持遮光フラップ２４７と内装袋２１７の開封側端部２１９を再封時においていっしょに折り畳むことが可能となる。
【００５２】
次にこのようにして構成される本発明の包装箱２０１における（１）当初の梱包形態と、（２）再封時の梱包形態を対比して説明する。
（１）当初の梱包形態（図１７参照）
当初の梱包形態では図１７に示す如く、前覆板２２３と、基端側挟持遮光フラップ２６１と自由端側挟持遮光フラップ２６３は山折れ罫線２５５及び谷折れ罫線２６５によって折り曲げられておらず直線状に平坦な状態で位置している。この状態では前覆板２２３、基端側挟持遮光フラップ２６１及び自由端側挟持遮光フラップ２６３は、蓋可動部２２７における前面フラップ２２９の内壁面に接しており、最小の厚さ（段ボール１枚分の厚さ）になっている。従って運搬時等における振動を受けたとしても前覆板２２３及び挟持遮光フラップ２４７のへたりや変形等は生じない。
【００５３】
（２）再封時の梱包形態（図１８参照）
一方、再封時は図１８に示す如く、挟持遮光フラップ２４７は内装袋２１７の開封側端部２１９をくるむようにして一体に折り畳まれるから内装袋２１７の開封側端部２１９は挟持遮光フラップ２４７に包まれるように挟持されることと、２個所の折曲げ部が形成されることによって再封時の遮光性が確保されている。また前覆板２２３と蓋可動部２２７との隙間は粘着材２５９によって密封されているから、包装箱１の遮光性は更に高められている。
【００５４】
次に図１５〜図２０に示す実施形態と部分的構成を異にする他の形態について簡単に言及する。図１９は、挟持遮光フラップ２４７を基端側挟持遮光フラップ２６１のみによって形成した形態を示している。このような構成とした場合にも、内装袋２１７の開封側端部２１９は挟持遮光フラップ２４７によって挟持され、くるまれることによって、開封側端部２１９に折曲げ部が形成されるから再封時の遮光性は維持される。また図示は省略するが基端側挟持遮光フラップ２６１と自由端側挟持遮光フラップ２６３との間に１枚または複数枚の中間挟持遮光フラップを設けて更に多数回、折り畳みながら開封側端部２１９を挟持することも可能である。
【００５５】
図２０は蓋可動部２２７の上端片の中央に差込片２６７を設けた形態を示している。このような構成を採用した場合には差込片２６７を差込スリット２５１に差し込むことで、蓋体部２０５と蓋可動部２２７との密封性を更に高め、遮光性を向上させることが可能となる。
【産業上の利用可能性】
【００５６】
本発明の感光記録材料用包装箱は、様々な種類の感光記録材料を包装するための包装箱として広く利用することが可能である。特に、直接撮影医療用フィルムなどのＸレイフィルム用の包装箱として好ましく使用することができる。
【図面の簡単な説明】
【００５７】
【図１】本発明の感光記録材料用包装箱の、完成状態における全体を示す斜視図である。
【図２】本発明の感光記録材料用包装箱の、蓋体部を開放した状態を示す斜視図である。
【図３】蓋体部の側断面図である。
【図４】屈曲部が円弧であるときの円弧の形態を説明するパラメータを示す説明図である。
【図５】屈曲部が多角形の一部である実施形態を示す正面図である。
【図６】蓋被覆部の被覆天板の自由端辺側に係止フラップを設けた実施形態を示す斜視図である。
【図７】本発明の感光記録材料用包装箱に内装袋押さえ板を適用した実施形態の、蓋体部を閉鎖した状態を示す斜視図である。
【図８】本発明の感光記録材料用包装箱に内装袋押さえ板を適用した実施形態の、蓋体部を開放した状態を示す斜視図である。
【図９】図７の実施形態において、蓋体部の閉鎖時の内装袋押さえ板の作用を示す側断面図である。
【図１０】本発明の感光記録材料用包装箱に内装袋押さえ板を適用した他の実施形態の、蓋体部を閉鎖した状態を示す斜視図である。
【図１１】図１０の実施形態で、易分解構造を利用して本体部を分解した状態を示す斜視図である。
【図１２】図１０の実施形態に係る感光記録材料用包装箱の蓋体部の、閉鎖時の内装袋押さえ板の作用を示す斜視図及び側断面図である。
【図１３】本発明の感光記録材料用包装箱に内装袋押さえ板を適用した更に他の実施形態の、蓋体部を開放した状態を示す斜視図である。
【図１４】図１３の実施形態において、３つの内装袋押さえ板を一体に形成した実施形態の、蓋体部を開放した状態を示す斜視図である。
【図１５】本発明に係る感光記録材料用包装箱に挟持遮光フラップを適用した実施形態の、蓋体部を閉鎖した状態を示す斜視図である。
【図１６】図１５の実施形態に係る感光記録材料用包装箱の、蓋体部を開放した状態を示す斜視図である。
【図１７】図１５の実施形態に係る感光記録材料用包装箱の、蓋体部周辺を拡大して示す側断面図である。
【図１８】図１５の実施形態に係る感光記録材料用包装箱の、再封時の蓋体部周辺を拡大して示す側断面図である。
【図１９】図１５の実施形態に係る感光記録材料用包装箱の、部分的構成を異にする包装箱の他の形態を示す側断面図である。
【図２０】図１５の実施形態に係る感光記録材料用包装箱の、部分的構成を異にする包装箱の更に他の形態を示す斜視図である。
【図２１】従来の包装箱の構造を示す斜視図である。
【符号の説明】
【００５８】
１  感光記録材料用包装箱、３  本体部、５  蓋体部、７  前板、９  左側板
１１  右側板、１３  背板、１５  底板、１７  蓋前板、１９  蓋左側板
２１  蓋右側板、２３  蓋天板、２５  蓋可動部、２７  被覆左側板
２９  被覆右側板、３１  被覆天板、３３  蓋被覆部、３５  筋押し（屈曲部）
３７  谷折れ罫線、３９  山折れ罫線、４１  係止フラップ、１０７  前板
１０９  左側板、１１１  右側板、１１３  背板、１１５  底板、１１７  蓋前板
１１９  蓋左側板、１２１  蓋右側板、１２３  内装袋押さえ板、１２５  蓋可動部
１２７  外覆左側板、１２９  外覆右側板、１３０  小フラップ、１３１  外覆天板
１３３  蓋閉鎖補助部、１３５  係止片、１３７  山折れ罫線、１３９  スリット
１４１  指掛け突起、１４３  内装袋、１４５  入口部
１４７  内装袋の折り込み部分、１４９  易分解構造、１５１  山折り罫線
１５３  前覆板、１５５  内装袋押さえ板、１５７  内装袋押さえ板
１５９  内装袋押さえ板、１６１  山折れ罫線、１６３  山折れ罫線
１６５  山折れ罫線、１６７  指掛け突起、１６９  指摘み部、１７１  ミシン目
１７３  左内側板、１７７  差込スリット、１７９  係合片、１８１  谷折れ罫線
８３  山折れ罫線、１８５  差込片、２０１  感光記録材料用包装箱、２０３  本体部
２０５  蓋体部、２０７  前板、２０９  左側板、２１１  右側板、２１３  背板
１５  底板、２１７  （遮光性）内装袋、２１９  開封側端部、２２１  外覆天板
２２３  前覆板、２２５  筋押し（屈曲部）、２２７  蓋可動部、２２９  前面フラップ
２３１  サイドフラップ（左側の）、２３３  サイドフラップ（右側の）
２３５  指掛け部、２３７  左内側板、２４１  左外側板、２４３  右外側板
２４５  ミシン目（易分解構造）、２４７  挟持遮光フラップ、２４９  山折れ罫線
５１  差込スリット、２５３  指掛け突起、２５５  山折れ罫線、２５７  係止舌片
２５９  粘着材、２６１  基端側挟持遮光フラップ
２６３  自由端側挟持遮光フラップ、２６５  谷折れ罫線、２６７  差込片
Ｍ  感光記録材料
【図１】
2005289491.tif 000003
【図２】
2005289491.tif 000004
【図３】
2005289491.tif 000005
【図４】
2005289491.tif 000006
【図５】
2005289491.tif 000007
【図６】
2005289491.tif 000008
【図７】
2005289491.tif 000009
【図８】
2005289491.tif 000010
【図９】
2005289491.tif 000011
【図１０】
2005289491.tif 000012
【図１１】
2005289491.tif 000013
【図１２】
2005289491.tif 000014
【図１３】
2005289491.tif 000015
【図１４】
2005289491.tif 000016
【図１５】
2005289491.tif 000017
【図１６】
2005289491.tif 000018
【図１７】
2005289491.tif 000019
【図１８】
2005289491.tif 000020
【図１９】
2005289491.tif 000021
【図２０】
2005289491.tif 000022
【図２１】
2005289491.tif 000023